(57)【要約】【課題】      船に乗るときや船から釣り場に上がる時など釣竿ケ−スを手渡しする時に、渡し手が肩掛けベルトの上端側を掴んで差し出した釣竿ケ−スを受け手側が容易に掴むことが出来るようにした釣竿ケ−スを提供することである。【解決手段】  釣竿ケ−ス１は、釣竿ケ−ス本体２の筒状部２ａの前側の長手方向に肩掛けベルト３が取り付けられ、肩掛けベルト３は布地やナイロン、塩化ビニ−ル、ポリプロピレン等の合成樹脂繊維の織布で形成された下方ベルト６と上方ベルト７からなり、下方ベルト６の下端は筒状部２ａに縫着固定され、上方ベルト７は上端７ａが折り返されて筒状部２ａに縫着固定されると共に上端７ａ側に長手方向の透孔７ｂで分割部７ｃ、７ｄが形成されている。  分割部７ｃ、７ｄの内側は背当て部７ｅとなる。【選択図】        図１
2006197862.tif 000002
【特許請求の範囲】
【請求項１】
釣竿ケ−スに設けた肩掛けベルトの上端側が複数に分かれて形成されていることを特徴とする釣竿ケ−ス。
【請求項２】
釣竿ケ−スに設けた肩掛けベルトの上端側が該肩掛けベルトの幅方向に複数に分かれて形成されていることを特徴とする請求項１記載の釣竿ケ−ス。
【請求項３】
肩掛けベルトは上端側に孔が形成されて複数に分かれて形成されていることを特徴とする請求項１記載の釣竿ケ−ス。
【発明の詳細な説明】
【技術分野】
【０００１】
本発明は、船に乗るときや船から釣り場に上がる時など釣竿ケ−スの受渡しを行う時に確実に受渡し出来るようにした釣竿ケ−スに関する。
【背景技術】
【０００２】
従来から釣竿ケ−スには肩掛けベルトが設けられており、ケ−ス内に釣り竿を収納して背負い込んで携行出来るようになっている。
これらの釣竿ケ−スは、ケ−ス長手方向に肩掛けベルトが配され、その上下それぞれが特許文献１のようにケ−スの外面に止着されていた。
釣竿ケ−スは船に乗るときや船から釣り場に上がる時などに手渡しされることが多々あり、手渡しが肩掛けベルトの上端側を掴んで差し出すことが多い。
ところが、このような状態において上記の釣竿ケ−スでは受け手側が掴むところが無く受け取りに苦労していた。
【特許文献１】実開昭６２−８３４７２号公報
【発明の開示】
【発明が解決しようとする課題】
【０００３】
解決しようとする問題点は、船に乗るときや船から釣り場に上がる時など釣竿ケ−スを手渡しする時に、渡し手が肩掛けベルトの上端側を掴んで差し出すと受け手側が掴むところが無く受け取りに苦労することである。
【０００４】
本発明の目的は前記欠点に鑑み、船に乗るときや船から釣り場に上がる時など釣竿ケ−スを手渡しする時に、渡し手が肩掛けベルトの上端側を掴んで差し出した釣竿ケ−スを受け手側が容易に掴むことが出来るようにした釣竿ケ−スを提供することである。
【課題を解決するための手段】
【０００５】
本発明の請求項１は、釣竿ケ−スに設けた肩掛けベルトの上端側が複数に分かれて形成されていることを要旨とするものである。
本発明の請求項２は、釣竿ケ−スに設けた肩掛けベルトの上端側が該肩掛けベルトの幅方向に複数に分かれて形成されていることを要旨とするものである。
本発明の請求項３は、肩掛けベルトは上端側に孔が形成されて複数に分かれて形成されていることを要旨とするものである。
【発明の効果】
【０００６】
本発明により、船に乗るときや船から釣り場に上がる時など釣竿ケ−スを手渡しする時に、渡し手が肩掛けベルトの上端側を掴んで差し出した釣竿ケ−スを受け手側が容易に掴むことが出来る。
【発明を実施するための最良の形態】
【０００７】
釣竿ケ−ス１は、釣竿ケ−ス本体２の筒状部２ａの前側の長手方向に肩掛けベルト３が取り付けられ、肩掛けベルト３は布地やナイロン、塩化ビニ−ル、ポリプロピレン等の合成樹脂繊維の織布で形成された下方ベルト６と上方ベルト７からなり、下方ベルト６の下端は筒状部２ａに縫着固定され、上方ベルト７は上端７ａが折り返されて筒状部２ａに縫着固定されると共に上端７ａ側に長手方向の透孔７ｂで分割部７ｃ、７ｄが形成されている。
下方ベルト６と上方ベルト７は同一材料で一体に形成してもよい。
分割部７ｃ、７ｄの内側は背当て部７ｅとなる。
【実施例１】
【０００８】
以下、図示の実施例によって本発明を説明すると、図１、図２は第１実施例で、図１は釣竿ケ−スの正面側の斜視図で２点鎖線の手は受渡しの説明図、図２は釣竿ケ−スの肩掛けベルトが釣り人の肩に掛けられた側面図である。
【０００９】
釣竿ケ−ス１は、釣竿ケ−ス本体２の筒状部２ａの外側（前側）の長手方向に肩掛けベルト３が取り付けられ、釣竿ケ−ス本体２内に図示しない釣竿やリ−ルが収納可能であり、釣竿ケ−ス１の重心位置Ｇに対応する釣竿ケ−ス１の外側位置に取っ手ハンドル４が取り付けられている。
釣竿ケ−ス本体２は筒状部２ａと一側の膨出部２ｂと他側の膨出部と縦帯状部２ｃで縦長袋状に形成されて底部に硬質の有底筒部材５が固定されている。
筒状部２ａと一側の膨出部２ｂと他側の膨出部の外側材は周囲に沿って縫合されて一体的に形成されている。
筒状部２ａと一側の膨出部２ｂと他側の膨出部の外側材と縦帯状部２ｃの外側材は夫々布地やナイロン、塩化ビニ−ル、ポリプロピレン等の合成樹脂繊維の織布で形成されている。
筒状部２ａの外側材の内側の図示しない内側材との間には図示しないポリエチレンボ−ド等の硬質合成樹脂板が介在されて湾曲筒状に形成されている。
【００１０】
釣竿ケ−ス本体２の筒状部２ａと一側の膨出部２ｂに対して縦帯状部２ｃの縦方向の一側は係合チャック１０、１１で開口するように形成された開口部Ｋを有し、他側の膨出部に対して縦帯状部２ｃの縦方向の縁線ａは縫着等で固定されている。
筒状部２ａの前側の長手方向外側に肩掛けベルト３と取っ手ハンドル４が取り付けられ、上端に取っ手ハンドル１２が取り付けられている。
肩掛けベルト３の上方ベルト７の上端７ａは釣竿ケ−ス本体２の重心位置Ｇより上方側に、下端は下方側にそれぞれ取り付けられている。
膨出部２ｂの外側にはポケット１３が固定されている。
【００１１】
肩掛けベルト３は布地やナイロン、塩化ビニ−ル、ポリプロピレン等の合成樹脂繊維の織布で形成された下方ベルト６と上方ベルト７からなり、下方ベルト６の下端は筒状部２ａに縫着固定され、上方ベルト７は上端７ａが折り返されて筒状部２ａに縫着固定されると共に上端７ａ側に肩掛けベルト３の長手方向に延びる透孔７ｂが肩掛けベルト３の厚み方向に穿設されることで肩掛けベルト３の幅方向Ｈの左右にそれぞれ分割部７ｃ、７ｄが形成されている。
下方ベルト６と上方ベルト７は同一材料で一体に形成してもよい。
分割部７ｃ、７ｄの内側は背当て部７ｅとなる。
【００１２】
釣竿ケ−ス１は船に乗るときや船から釣り場に上がる時は図１の２点鎖線の手のように、手渡す側が肩掛けベルト３の一方の分割部７ｃを掴んで受け手側に差し出し、受け手側は分割部７ｄを掴んで引き取る。
分割部７ｃ、７ｄは重心位置Ｇより上方側に位置し、また両者は肩掛けベルト３の幅方向に並設されているため、受け手側が容易に握ることができ、また渡し手が掴んだバランスに近い状態で釣竿ケ−ス１を受け取ることができるため誤って落下させてしまうことを防止できる。
釣竿ケ−ス１を釣り場に携行する時は図２のように、肩掛けベルト３の背当て部７ｅを肩に掛けて携行とたり、取っ手ハンドル４を掴んで携行する。
【００１３】
前記のように釣竿ケ−スが構成されると、船に乗るときや船から釣り場に上がる時の釣竿ケ−ス１の手渡しが、渡し手が肩掛けベルト３の上端側を掴んで差し出した釣竿ケ−ス１を受け手側が容易に掴むことが出来る。
受け手側が容易に掴むことが出来るので、掴み損ねて落下する等のことが起こらない。
また、透孔７ｂは複数設けてもよい。
【実施例２】
【００１４】
図３は第２実施例で、図３は釣竿ケ−スの正面側の斜視図で２点鎖線の手は受渡しの説明図である。
【００１５】
第２実施例では肩掛けベルト３′の上方ベルト８の上方がＹ字形に開いて肩掛けベルト３′の幅方向Ｈに分割部８ａ、８ｂが形成され、上端８ｃ、８ｄは筒状部２ａに縫着固定されている。
このように分割部８ａ、８ｂが互いに上方へ向けて肩掛けベルト３′の幅方向に離れるように形成すると、受け手側がより確実に掴むことができる。
他の構成は前記第１実施例と略同一である。
【実施例３】
【００１６】
図４は第３実施例で、図４は釣竿ケ−スの正面側の斜視図で２点鎖線の手は受渡しの説明図である。
【００１７】
第３実施例では肩掛けベルト３″の上方ベルト９に他のベルトで肩掛けベルト３″の幅方向に並設して分割部１４、１５が固定され、分割部１４、１５の上端は筒状部２ａに縫着固定されている。
このように分割部は肩掛けベルト３″に別体のベルトを取り付けて形成してもよい。
他の構成は前記第１実施例と略同一である。
【産業上の利用可能性】
【００１８】
本発明は釣竿ケ−ス全般に利用できる。
【図面の簡単な説明】
【００１９】
【図１】第１実施例で、釣竿ケ−スの正面側の斜視図で２点鎖線の手は受渡しの説明図である。
【図２】同釣竿ケ−スの肩掛けベルトが釣り人の肩に掛けられた側面図である。
【図３】第２実施例で、釣竿ケ−スの正面側の斜視図で２点鎖線の手は受渡しの説明図である。
【図４】第３実施例で、釣竿ケ−スの正面側の斜視図で２点鎖線の手は受渡しの説明図である。
【符号の説明】
【００２０】
１  釣竿ケ−ス
３、３′３″  肩掛けベルト
７ｂ  孔
７ｃ、７ｄ、８ａ、８ｂ、１４、１５  分割部
【図１】
2006197862.tif 000003
【図２】
2006197862.tif 000004
【図３】
2006197862.tif 000005
【図４】
2006197862.tif 000006